(57)【要約】      （修正有）【課題】頭部の耳からの汗がメガネレンズへ付着するのを防ぐ汗止め具を提供する。【解決手段】メガネは、ブリッジ部１２を介して、左右対称に構成され、左右側のそれぞれには、リム部１０、メガネレンズ１１、ブリッジ部、ヨロイ部１３、ヒンジ部１４、サイドフレーム部１５および耳掛け部１６を備える。汗止め具１７は、中空の柱形状（筒状体）であり、ヨロイ部およびサイドフレーム部の適所に外嵌されて取り付けられる。汗止め具は、吸水性のある、又多孔性の素材で構成される。【選択図】図１
0003227695.tif 000002
【実用新案登録請求の範囲】
【請求項１】
メガネのサイドフレーム部およびヨロイ部の少なくとも一方外嵌する中空部を有する筒状体を備えた、
汗止め具。
【請求項２】
前記筒状体は、外形が円柱及び多角柱の一方である、
請求項１に記載の汗止め具。
【請求項３】
前記筒状体は、周方向の一部が中空部から表面まで径方向に切り欠かれ、かつ軸方向の全長に亘って延設された、切欠部を有する、
請求項１または２に記載の汗止め具。
【請求項４】
前記汗止め具は、弾性材で構成された、
請求項１から３のいずれかに記載のメガネ。
【請求項５】
前記筒状体は、吸水材で構成された、
請求項１から４のいずれかに記載の汗止め具。
【請求項６】
前記筒状体は、径方向に対称性を有する、
請求項１から５のいずれかに記載の汗止め具。
【請求項７】
前記筒状体は、径方向に非対称性を有する、
請求項１から６のいずれかに記載の汗止め具。
【請求項８】
前記筒状体は、長示方向の適所につば部を有する、
請求項１から７のいずれかに記載の汗止め具。
【請求項９】
前記汗止め具は、長示方向の適所に膨らみ部を有する、
請求項１から８のいずれかに記載の汗止め具。
【請求項１０】
請求項１から９のいずれかに記載の汗止め具を備えた、メガネ。
【考案の詳細な説明】
【技術分野】
【０００１】
この考案は、汗止め具およびメガネに関する。
【背景技術】
【０００２】
従来、メガネ装着者にとって、スポーツ時などに掻いた汗が、スポーツのプレイの妨げになる場合がある。例えば、汗により、メガネが滑ってずれたり、メガネに付着した汗がメガネレンズへしたたり落ちて、メガネレンズの表面を汚し、装着者の視界を妨げたりすることがある。
【０００３】
そこで、特許文献１には、鼻パッド部および耳掛け部に汗止め具を設け、額からの汗により、滑りずれることを防止するメガネが開示されている。また、特許文献２には、ブリッジ部に額と接触するように汗止め具を設けることで、額から汗がしたたり落ちることを防ぎ、メガネレンズの表面を汚さないよう工夫したメガネが開示されている。このように、汗止め具の配置を工夫することで、人体と接する部位で効果的に汗止めをしている。
【先行技術文献】
【特許文献】
【０００４】
【特許文献１】実願昭５７−７７９５４
【特許文献２】実願昭５７−１４９７９３
【考案の概要】
【考案が解決しようとする課題】
【０００５】
しかしながら、特許文献１、２の構造では、頭部から、メガネの耳掛け部及びサイドフレーム部を経由してリム部へ伝った汗が、メガネレンズの表面に滴下し付着して、メガネレンズを汚し、装着者の視界を妨げる場合には対応できない。
【０００６】
この考案は、メガネレンズへの汗の付着を防ぐ、メガネを提供することを目的とする。
【課題を解決するための手段】
【０００７】
この考案に係る汗止め具は、メガネのサイドフレーム部の適宜の部位に外嵌される筒状体からなる。また、この考案にかかるメガネは、汗止め具が、耳掛け部と、リム部との間のサイドフレーム部及びヨロイ部の適所に取り付けられることを特徴とする。
【考案の効果】
【０００８】
本考案によれば、側頭部からの汗は、耳掛け部との接触部位を経て、サイドフレームに伝わるが、この部位で汗止め具により流れがせき止められる。したがって、よろい部などから、メガネレンズに流下乃至滴下することが防止できて、装着者の良好な視界が維持できるメガネを提供する。
【図面の簡単な説明】
【０００９】
【図１】この考案にかかるメガネの一例を示す外観斜視図である。
【図２】この考案にかかる汗止め具の一例を示す外観斜視図である。
【図３】メガネを下方に傾斜させたときに、流れる汗と汗止め具との位置関係を示す図である。
【図４】汗止め具の第１の変形例の外観斜視図である。
【図５】汗止め具の第２の変形例を示す図であり、（Ａ）は外観斜視図、（Ｂ）は軸方向から見た図である。
【図６】図５の汗止め具の、メガネフレームへの取り付け方を示す図であり、（Ａ）は挿入前、（Ｂ）は挿入途中、（Ｃ）は装着状態を示している。
【図７】汗止め具１７の第３の変形例を示す図であり、（Ａ）は外観斜視図、（Ｂ）は長手方向から見た図である。
【図８】汗止め具の第４の変形例の外観斜視図である。
【考案を実施するための形態】
【００１０】
以下、第１実施形態に係るメガネ１について具体的に説明する。図１は、メガネ１の構成の一例を示す外観斜視図である。メガネ１は、ブリッジ部１２を介して、左右対称に構成されている。左右側のそれぞれには、リム部１０、メガネレンズ１１、ブリッジ部１２、ヨロイ部１３、ヒンジ部１４、サイドフレーム部１５および耳掛け部１６を備える。汗止め具１７は、中空の柱形状（筒状体）であり、ここでは、円柱形状である。汗止め具１７は、ヨロイ部１３およびサイドフレーム部１５の適所に外嵌されて取り付けられる。
【００１１】
リム部１０は、環状を有し、その内側にメガネレンズ１１を支持する。メガネレンズ１１は、メガネ１の装着者の目の前方の離れた位置（例えば、目から数ｃｍ程度離れた位置）に設けられるレンズである。リム部１０はヨロイ部１３、ヒンジ部１４を介してサイドフレーム部１５に取り付けられている。サイドフレーム部１５の後端の耳掛け部１６で、人の耳を介して頭部に支持される。接触部位１６１は、耳掛け部１６と人の耳が接触する部位を示す。
【００１２】
図２は、汗止め具１７の外観斜視図である。図２では、汗止め具１７は、筒状体の中心部分に、中空部１８が形成された中空の円柱形状をしており、この中空部１８を利用して、接触部位１６１からヨロイ部１３までの間の適所に外嵌状態で取り付けられ又は一体的に取り付けられる。汗止め具１７は、本実施形態では、吸水性のある、又多孔性の素材で構成され、さらに、伸縮性のある素材で構成されている。汗止め具１７は、耳掛け部１６の先端から汗止め具１７の中空を挿通することで、耳掛け部１６を経由して、サイドフレーム部１５の適所に装着する。また、サイドフレーム部１５を経由して、汗止め具１７をヨロイ部１３へ装着することも可能である。
【００１３】
次に、メガネ１の装着者が、頭部を下方に向けた場合の、汗止め具１７の作用について図３を用いて説明する。図３において、汗の流れは破線矢印で示している。
【００１４】
汗止め具１７を有しない場合、メガネ１の装着者が掻いた汗は、まず接触部位１６１に流れ、さらに、耳掛け部１６を伝って、リム部１０に向かって、流れる。そして、リム部１０に達した汗が、メガネレンズ１１に流れ、レンズ表面に付着すると、メガネ１の装着者の視界を妨げることになりうる。なお、頭部を下方に向ける場合とは、運動中の姿勢変化、例えば、ゴルフをプレイ中に構え、ゴルフボールをショットしたりする場合が例示される。
【００１５】
一方、図３に示す汗止め具１７が取り付けられているメガネ１の場合、サイドフレーム部１５を流れる汗は、汗止め具１７に接触すると、汗止め具１７に吸収される。これにより、汗が、メガネレンズ１１に流れ込むことが防止でき、メガネ１の装着者の視界を妨げることはない。また、ヨロイ部１３からメガネレンズ１１上に垂れることもなくなる。
【００１６】
このように、装着者が運動や作業時に頭部を下げた場合でも、汗は、メガネレンズ１１に到達しない。したがって、メガネレンズ１１に付着した汗を拭うためにメガネ１を取り外す等、動作や作業を中断する必要もなくなる。すなわち、ユーザは、汗による不快感を感じることなく、常に快適に作業を行うことができる。
【００１７】
［第１の変形例］
図４の（Ａ）、（Ｂ）および（Ｃ）は、汗止め具１７の形状の変形例１を示す図である。
【００１８】
図４の（Ａ）では、汗止め具１７ａは、長示方向に中空部１８ａが形成された角柱の形状で、三角柱の形状である。汗止め具１７ａは、三角形の底辺側の容積が大きい分、装着時にその底辺を下方に位置させることで、吸収した汗を多く保持し得る。したがって、汗止め具１７ａは、吸収量の増大が図れ、長時間汗を掻く環境であっても、汗を吸収し続け得る。
【００１９】
なお、汗止め具１７ａの中空部１８ａの形状が、サイドフレーム部１５の横断面の形状と異なる場合、汗止め具１７ａとサイドフレーム部１５とを嵌め込んだときに、隙間が生じる可能性がある。隙間が生じた場合、サイドフレーム部１５の適所に取り付けた汗止め具１７ａの位置が、ずれる恐れや、又汗が隙間を潜り抜けてヨロイ部１３に流れ出る恐れがある。したがって、汗止め具１７ａの中空部１８ａの形状は、サイドフレーム部１５の横断面により緊密に接触する形状が好ましい。例えば、サイドフレーム部１５の横断面の形状が楕円である場合、図４の（Ｂ）に示す汗止め具１７ｂのように、横断面で楕円の形状を有する中空部１８ｂにすることが好ましい。同様に、サイドフレーム部１５の横断面の形状が三角形である場合、図４の（Ｃ）に示す汗止め具１７ｃのように、三角形の形状を有する中空部１８ｃにすることが好ましい。さらに、汗止め具１７の中空部１８の形状は、円、楕円または三角形に限定されることなく、サイドフレーム部１５の横断面の形状に合わせて設計することが好ましい。例えば、サイドフレーム部１５の横断面が多角形であれば、汗止め具１７の中空部１８の横断面の形状も、類似乃至同様の多角形の形状であることが好ましい。
【００２０】
［汗止め具１７の形状の変形例２］
図５（Ａ）は、汗止め具１７の形状の変形例２である汗止め具１７ｄを示す外観斜視図である。図５（Ｂ）は、汗止め具１７ｄを軸方向から見た図である。
【００２１】
図５（Ａ）に示すように、汗止め具１７ｄは、中空部１８ｄ及び、周方向の一部が中空部１８ｄから表面まで径方向に切り欠かれ、かつ軸方向の全長に亘って延設された、外嵌ガイド容としてのスリット状の切欠部１８１ｄを有する。
【００２２】
汗止め具１７ｄのサイドフレーム部１５への取り付け方について、軸方向から見た、図６（Ａ）、（Ｂ）および（Ｃ）を参照して説明する。まず、図６の（Ａ）のように、汗止め具１７ｄの切欠部１８１ｄとサイドフレーム部１５とを対向させる。次に、図６の（Ｂ）のように、汗止め具１７ｄを、サイドフレーム部１５に押し込むようにする。このとき、サイドフレーム部１５は、汗止め具１７ｄの切欠部１８１ｄに圧入されながら、汗止め具１７ｄの中空部１８ｄに嵌まる。その結果、図６の（Ｃ）のように汗止め具１７ｄがサイドフレーム部１５に嵌め込まれ、固定される。メンテナンス等で、汗止め具１７ｄを、サイドフレーム部１５から取り外すときは、上記と逆の順番で作業を行う。
【００２３】
このように、メガネ１の装着者は、汗止め具１７と比較して、汗止め具１７ｄとメガネ１とを脱着させやすい。このため、メガネ１の装着者は、短時間で汗止め具１７ｄを交換できる。すなわち、変形例２は、交換作業のしやすい汗止め具１７ｄを備えた、快適性のあるメガネ１を提供することができる。なお、汗止め具１７ｄの形状は、楕円や多角形であってもよい。形状を、楕円や多角形にすることで、地面を転がりにくくなる。したがって、仮に汗止め具１７ｄの交換作業時などに、汗止め具１７ｄを地面に落としたとしても、汗止め具１７ｄが転がり、紛失することを可及的に防ぐことができるという副次的な効果が得られる。
【００２４】
［汗止め具１７の形状の変形例３］
図７の（Ａ）は、汗止め具１７の形状の変形例３の外観斜視図である。図７の（Ｂ）は、汗止め具１７の第３の変形例を長手方向から見た図である。
【００２５】
汗止め具１７の形状の変形例３では、汗止め具１７ｅは、筒状体１７１と、その長示方向の適所、本変形例では一端側に、つば部１７２とが一体で構成されている。つば部１７２は、筒状体１７１の拡径よりも大径の中空の円柱体で構成されている。つば部１７２は、伝う汗をせき止めるもので、サイドフレーム部１５への取り付けにおいて、耳掛け部１６側となる向きが好ましい。
【００２６】
変形例３では、サイドフレーム部１５を伝う汗は、つば部１７２に接触する。つば部１７２によりせき止められた汗は、つば部１７２の先端から、地面に向かって垂れ落ちる。つまり、つば部１７２を設けることで、汗止め具１７ｅは、リム部１０を経由してメガネレンズ１１を汚す可能性のある汗を吸収せずとも、流下をくい止めることができる。また、仮に、一部の汗が、つば部１７２を通り抜けたとしても、筒状体１７１により吸収される。したがって、つば部１７２と筒状体１７１との二重構造により、汗がヨロイ部１３へ流れる可能性をさらに低減することができる。
【００２７】
［汗止め具１７の形状の変形例４］
汗止め具１７の形状の変形例４について、図8を参照して説明する。なお、筒状体１７１は、図７の筒状体と同一形状を有するものである。
【００２８】
図２、図４、図５および図７の例では、汗止め具１７の縦断面の形状として、点対称または線対称であったが、これに限定されず、図８に示すように、汗止め具１７ｆは、膨らみ部１７３を有していてもよい。
【００２９】
図８の例では、汗止め具１７ｆは、径方向から見て、筒状体１７１の外形一部に星形の膨らみ部１７３が形成されている。汗止め具１７ｆに吸収された汗を、膨らみ部１７３へと浸透させることで、吸収の限界量に達しにくくしている。その結果、汗止め具１７ｆは、より多くの汗を吸収することが可能となり、汗止め具１７ｆからリム部１０へと汗が漏れ出ることを防ぐことができる。このように、膨らみ部１７３の大きさだけ容積を大きくしたことで、吸収量の増大が図れる。これにより、汗が、汗止め具１７ｆからリム部１０に漏れ出しにくくなり、メガネレンズ１１を汚すことが防がれる。また、膨らみ部１７３は、筒状体１７１の外径側に設けられるため、メガネ１の装着者の顔面側と反対側に向けてサイドフレーム部１５に取り付けることで、汗止め具１７ｆによる圧迫感を感じることがなく、快適性を感じるメガネ１を提供することができる。なお、膨らみ部１７３の形状は、図８の例の星形に限定されない。例えば、膨らみ部１７３の形状は丸形や花形のような形状、さらにはキャラクターを模したものであってもよい。
【００３０】
なお、中空部１８は、筒状体の中心部分に形成されずに、筒状からの中心部分から、片寄って形成されていてもよい。また、図１に示したメガネの構成は一例であって、これに限定されるものではない。例えばゴーグルのように、リム部、ブリッジ部、ヨロイ部、ヒンジ部、サイドフレーム部および耳掛け部が全て一体となる物を含めてもよい。さらに、汗止め具は、メガネに接着剤などにより一体に取り付けてもよい。
【００３１】
最後に、上述の実施形態の説明は、すべての点で例示であって、制限的なものではない。当業者にとって変形および変更が適宜可能である。本考案の範囲は、上述の実施形態ではなく、実用新案請求の範囲によって示される。さらに、本考案の範囲には、実用新案請求の範囲内と均等の範囲内での実施形態からの変更が含まれる。
【符号の説明】
【００３２】
１…メガネ
１０…リム部
１１…メガネレンズ
１２…ブリッジ部
１３…ヨロイ部
１４…ヒンジ部
１５…サイドフレーム部
１６…耳掛け部
１６１…接触部位
１７，１７ａ、１７ｂ，１７ｃ，１７ｄ，１７ｅ，１７ｆ…汗止め具
１７１…筒状体
１７２…つば部
１７３…膨らみ部
１８，１８ａ，１８ｂ，１８ｃ，１８ｄ，１８ｅ…中空部
１８１ｄ…切欠部
【図１】
0003227695.tif 000003
【図２】
0003227695.tif 000004
【図３】
0003227695.tif 000005
【図４】
0003227695.tif 000006
【図５】
0003227695.tif 000007
【図６】
0003227695.tif 000008
【図７】
0003227695.tif 000009
【図８】
0003227695.tif 000010
【手続補正書】
【提出日】令和2年6月10日(2020.6.10)
【手続補正１】
【補正対象書類名】実用新案登録請求の範囲
【補正対象項目名】請求項１
【補正方法】変更
【補正の内容】
【請求項１】
メガネのサイドフレーム部およびヨロイ部の少なくとも一方を外嵌する中空部を有する筒状体を備えた、
汗止め具。